(57)【要約】【課題】簡単な構造で、ＰＴＰシートを安全に収納保持することができ、目立つ場所に簡易的に設置して収容物である薬剤の飲み忘れやその他収容物の取り扱いミス等を防ぐことができる包装体を提供する。【解決手段】ＰＴＰシート５４を取り付ける台紙１２を備え、台紙１２には、ＰＴＰシート５４が取り付けられる側面１４，１６を有する。側面１４に折罫線で区切られて連続し、側面１４に向けて、ＰＴＰシート５４の突出部５６ａを挟んで折り返す係止用板３０を備える。係止用板３０には側面１４に折り返した状態で係止する係止片３４と、他の物品に吊り下げて設置される係止溝４０を備える。【選択図】図１
2017226470.tif 000002
【特許請求の範囲】
【請求項１】
収容物を内側に収容した突出部と前記突出部の周囲に設けられたフランジ部を有するプラスチック成形体に、破断可能な蓋材シートが貼り付けられて前記突出部の開口部が閉鎖されたＰＴＰシートを取り付ける台紙から成り、前記台紙には、前記ＰＴＰシートが取り付けられる側面と、前記側面に折罫線で区切られて連続し前記側面に向けて、前記ＰＴＰシートの前記突出部を挟んで折り返す係止用板が設けられ、前記係止用板には前記側面に折り返した状態で係止する係止片と、他の物品に吊り下げて設置される係止溝が設けられていることを特徴とする包装体。
【請求項２】
前記係止溝の内側の部分は係止用の舌片となり、前記係止溝の一対の端部の間に折り曲げ線が設けられている請求項１記載の包装体。
【請求項３】
前記係止溝は一定の幅で形成され、長手方向の形状は半円の円弧状であり、前記舌片の基端部分に前記折り曲げ線が設けられ、前記折り曲げ線の形状は、前記係止溝の反対側に向かって僅かに膨出する円弧形状である請求項２記載の包装体。
【請求項４】
前記側面の、前記係止用板が設けられた折罫線に交差する側縁部には、保持片が折罫線を介して連続して設けられ、前記保持片は、前記側面と前記係止用板が所定の角度に開いたときに前記係止用板と前記側面の間に嵌合され、嵌合されたときに前記係止用板に係止される係止手段が設けられ、前記包装体は、前記係止用板と前記側面が前記保持片に支持されて立体形状に組み立てられて自立して設置される請求項１又は２記載の包装体。
【請求項５】
前記側面は、前記ＰＴＰシートを挟んだ状態で重ねて保持する第１側面と第２側面が設けられ、前記第１側面と前記第２側面には、互いに重ねられた時に前記ＰＴＰシートの前記突出部の開口部に対向する透孔が互いに一致して各々設けられ、前記第２側面の前記透孔には前記ＰＴＰシートの前記突出部が嵌合されて突出し、前記第１側面の前記透孔は前記ＰＴＰシートに収容された収容物が通過して取り出され、前記係止用板は、前記第１側面または前記第２側面に設けられている請求項１又は２記載の包装体。
【発明の詳細な説明】
【技術分野】
【０００１】
この発明は、ＰＴＰシートに台紙を取り付けて包装し任意の場所に設置する包装体に関する。
【背景技術】
【０００２】
従来、錠剤やカプセル等の薬剤を収容物とする包装技術としてＰＴＰシートがある。ＰＴＰ（プレススルーパッケージ）シートは、合成樹脂で作られたプラスチック成形体を有し、プラスチック成形体には、薬剤を収容する突出部と、突出部の周縁部に形成されたフランジ部が一体に成形されている。フランジ部の、突出部と反対側の面にアルミ箔などの破断可能な蓋材シートが貼り付けられて突出部が閉鎖され、薬剤を密閉している。また、ＰＴＰシートに紙製等の台紙を取り付けて、取り扱いを容易にするとともに台紙に薬剤についての情報を印刷して多くの情報を消費者に伝えるものがある。
【０００３】
例えば、特許文献１に開示されている包装容器は、ＰＴＰシートを挟んで収容するカップ部拘束板と背面板が設けられ、背面板にはヒンジ部を介して表面板が接続されている。表面板の端部と背面板の端部には、それぞれ吊り下げ用タブ片が設けられ、一対の吊り下げ用タブ片を接着することにより、表面板と背面板が閉鎖され、包装される。なお、開封する時は一対の吊り下げ用タブ片を除去する。
【先行技術文献】
【特許文献】
【０００４】
【特許文献１】特開２００８−７４４８０号公報
【発明の概要】
【発明が解決しようとする課題】
【０００５】
上記背景技術の場合、開封する前は吊り下げ用タブ片でフック等に吊り下げて保管することが可能であるが、開封後は吊り下げることができないものである。開封後も、錠剤やカプセル等の薬剤を飲み忘れないように、目立つ場所に設置するための工夫はされていないものである。
【０００６】
この発明は、上記背景技術の問題点に鑑みてなされたものであり、簡単な構造で、ＰＴＰシートを安全に収納保持することができ、目立つ場所に簡易的に設置して収容物である薬剤の飲み忘れや、その他収容物の取り扱いミス等を防ぐことができる包装体を提供することを目的とする。
【課題を解決するための手段】
【０００７】
本発明は、薬剤等の収容物を内側に収容した突出部と前記突出部の周囲に設けられたフランジ部を有するプラスチック成形体に、破断可能な蓋材シートが貼り付けられて前記突出部の開口部が閉鎖されたＰＴＰシートを取り付ける台紙からなり、前記台紙には、前記ＰＴＰシートが取り付けられる側面と、前記側面に折罫線で区切られて連続し前記側面に向けて、前記ＰＴＰシートの前記突出部を挟んで折り返す係止用板が設けられ、前記係止用板には前記側面に折り返した状態で係止する係止片と、他の物品に吊り下げて設置される係止溝が設けられている包装体である。
【０００８】
特に、前記係止溝の内側の部分は係止用の舌片となり、前記係止溝の一対の端部の間に折り曲げ線が設けられていると良い。
【０００９】
前記係止溝は一定の幅で形成され、長手方向の形状は半円の円弧状であり、前記舌片の基端部分に前記折り曲げ線が設けられ、前記折り曲げ線の形状は、前記係止溝の反対側に向かって僅かに膨出する円弧形状である。
【００１０】
また、前記側面の、前記係止用板が設けられた折罫線に交差する側縁部には、保持片が折罫線を介して連続して設けられ、前記保持片は、前記側面と前記係止用板が所定の角度に開いたときに前記係止用板と前記側面の間に嵌合され、嵌合されたときに前記係止用板に係止される係止手段が設けられ、前記包装体は、前記係止用板と前記側面が前記保持片に支持されて立体形状に組み立てられて自立して設置されるものである。
【００１１】
また、前記側面は、前記ＰＴＰシートを挟んだ状態で重ねて保持する第１側面と第２側面が設けられ、前記第１側面と前記第２側面には、互いに重ねられた時に前記ＰＴＰシートの前記突出部の開口部に対向する透孔が互いに一致して各々設けられ、前記第２側面の前記透孔には前記ＰＴＰシートの前記突出部が嵌合されて突出し、前記第１側面の前記透孔は前記ＰＴＰシートに収容された収容物が通過して取り出されるものであり、前記係止用板は、前記第１側面または前記第２側面に設けられている。
【発明の効果】
【００１２】
本発明の包装体は、簡単な構造で、ＰＴＰシートを安全に収納保持することができ、目立つ場所に簡易的に設置して収容物である薬剤の飲み忘れ等を防ぐことができる。携帯する際は形状を平坦にすることもでき、自由に変更可能である。設置方法は、コップの縁に掛けたり、フックに吊り下げたり、机に自立させたり、自由に変更することができ、目立つ方法を選択して設置することができる。
【図面の簡単な説明】
【００１３】
【図１】この発明の一実施形態の包装体の係止用板を第２側面から開いた状態を示す斜視図である。
【図２】この実施形態の包装体の斜視図である。
【図３】この実施形態の包装体の展開図である。
【図４】この実施形態の包装体をコップの縁に掛けて設置した状態を示す斜視図である。
【図５】この実施形態の包装体を自立させて設置した状態を示す斜視図である。
【発明を実施するための形態】
【００１４】
以下、この発明の実施形態について図面に基づいて説明する。図１〜図３はこの発明の一実施形態を示すもので、この実施形態の包装体１０は、紙製等の一枚のブランクシートを打ち抜いて形成された台紙１２が設けられている。図３は、台紙１２を表面から見た展開図である。台紙１２は、第１側面１４と第２側面１６が、折罫線１８を介して設けられている。第１側面１４と第２側面１６はほぼ同形状であり、折罫線１８に交差する方向が長い矩形である。
【００１５】
第１側面１４には、後述するＰＴＰシート５４のプラスチック成形体５６の突出部５６ａに対向する円形の透孔２０が設けられている。透孔２０は正円であり、３個に並べられた列が２列、互いに平行に形成され、合計６個の透孔２０が設けられている。６個の透孔２０は、第１側面１４中心よりも少し折罫線１８に交差する一方の側縁部１４ａに近い位置に設けられている。
【００１６】
第２側面１６には、折罫線１８で第１側面１４に折り重ねた時に透孔２０に対向する位置に、透孔２２が設けられている。透孔２２は透孔２０と同じ大きさの正円であり、３個に並べられた列が２列、合計６個設けられている。６個の透孔２２は、第１側面１４の側縁部１４ａに連続する側縁部１６ａに近い位置に設けられている。第２側面１６の、側縁部１６ａと反対側の側縁部１６ｂに近い位置に、短いスリット２４が設けられている。スリット２４は、第２側面１６ｂに対して平行な直線である。
【００１７】
第１側面１４の側縁部１４ａには、厚み形成片２６が折罫線２８で区切られて設けられている。厚み形成片２６は、折罫線２８で、第１側面１４に対して直角に折り曲げられるものであり、後述するＰＴＰシート５４の突出部５６ａの高さより少し大きい幅に形成されている。
【００１８】
厚み形成片２６の、折罫線２８と反対側の側縁部には、第１側面１４に、厚み形成片２６の幅を離間して重ねられる係止用板３０が折罫線３２で区切られて設けられている。係止用板３０は、厚み形成片２６との連接方向に交差する長さは第１側面１４とほぼ同じであり、連接方向の長さは第１側面１４より少し小さい矩形である。
【００１９】
係止用板３０の折罫線３２と反対側の側縁部３０ａの中心には、係止片３４が設けられている。係止片３４は、側縁部３０ａから直角に外側に突出する突起であり、先端は頂点が丸められた三角形状に形成されている。係止片３４の突出方向の長さは、台紙１２の後述する折り畳み状態で係止用板３０が第２側面１６の一部に重ねられた時に、第２側面１６のスリット２４に差し込まれ、なおかつ側縁部１６ｂには達しないものである。係止片３４の突出方向の幅は、スリット２４の長手方向よりも少し短く、差し込み可能なものである。
【００２０】
係止用板３０の第１側面１４の折罫線１８の延長線と反対側に位置する側縁部３０ｂには、凹部３６が設けられている。凹部３６は、後述する保持片４４の凸部４８に係止される係止手段であり、変形したコの字形に切り欠かれ、側縁部３０ｂに対して平行な直線３６ａと、直線３６ａの両端部と直線３６ｂに連続する直線３６ｂ，３６ｃで形成されている。直線３６ｂ，３６ｃは互いに平行であり、側縁部３０ｂに近づくにつれて折罫線３２に近づくように傾斜している。係止用板３０の側縁部３０ａに近い直線３６ｃと、側縁部３０ｂで形成された鋭角の角部は、後述する凸部４８に係止する爪部３８である。
【００２１】
係止用板３０の中心には、係止溝４０が設けられている。係止溝４０は一定の幅で形成され、長手方向の形状は、側縁部３０ｂとは反対の側縁部３０ｃに向かって膨出する半円の円弧状である。係止溝４０の内側の部分は、係止用の舌片４１となる。舌片４１の基端部分には、係止溝４０の一対の端部の間に、１本の短い折り曲げ線４２が係止溝４０から離間して設けられている。折り曲げ線４２の形状は、側縁部３０ｂに向かって僅かに膨出する円弧形状であり、折り曲げ線４２の一対の端部は、係止溝４０の一対の端部の近傍に各々位置している。
【００２２】
第２側面１６の、折罫線１８の反対側の側縁部１６ｃには、保持片４４が折罫線４６で区切られて設けられている。保持片４４は、第２側面１６と係止用板３０が所定の角度に開いたときに第２側面１６と係止用板３０の間に嵌合されるものである。保持片４４は変形した台形であり、折罫線４６を一方の斜辺とし、第２側面１６の側縁部１６ａに連続する側縁部４４ａは上底となり、折罫線４６に対して直角に交差し、厚み形成片２６の折罫線２８と折罫線３２の間の長さとほぼ等しい長さである。側縁部１６ｂに連続する側縁部４４ｂは下底となり、折罫線４６に対して９０°よりも少し小さい鋭角に交差し、側縁部４４ａよりも長い。折罫線４６と反対側の側縁部４４ｃは斜辺となり、側縁部４４ｃの中心には、凸部４８が設けられている。凸部４８は、第２側面１６と係止用板３０が所定の角度に開いて保持片４４が第２側面１６と係止用板３０の間に嵌合されたときに係止用板３０の凹部３６に係止される係止手段であり、変形したコの字形であり、側縁部４４ｃに対して平行な直線４８ａと、直線４８ａの両端部と側縁部４４ｃに連続する直線４８ｂ，４８ｃで形成されている。直線４８ｂ，４８ｃは互いに平行であり、側縁部４４ｃに近づくにつれて側縁部４４ａに近づくように傾斜している。凸部４８の側縁部４４ｂに近い直線４８ｃと、直線４８ａで形成された鋭角の角部は、凹部３６の爪部３８に係止する爪部５０である。
【００２３】
次に、包装体１０の包装方法について説明する。包装体１０は、収容物である薬剤の錠剤５２が入れられたＰＴＰシート５４が取り付けられて包装されるものである。ここで、ＰＴＰシート５４について説明する。ＰＴＰシート５４は、プラスチック成形体５６が設けられ、プラスチック成形体５６には、収容物である錠剤５２を収容する突出部５６ａと、突出部５６ａの周縁部のフランジ部５６ｂが設けられている。突出部５６ａは、３個に並べられた列が２列、合計６個設けられている。プラスチック成形体５６のフランジ部５６ｂには、突出部５６ａの突出方向と反対の面に薄いアルミ製の蓋材シート５８が貼り付けられ、突出部５６ａが閉鎖されている。
【００２４】
次に、包装体１０の組立方法について説明する。ここでは図３が台紙１２の表面を見たものであり、表面が凸になる折り方を正折り、そして裏面が凸になる折り方を逆折りと称する。まず、第２側面１６の裏面に、ＰＴＰシート５４のプラスチック成形体５６側の面を重ねて取り付ける。この時、透孔２２にＰＴＰシート５４の突出部５６ａを嵌合させる。第１側面１４または第２側面１６の裏面の所定の位置には、あらかじめ印刷加工により感熱接着剤が塗布されている。そして、折罫線１８を正折りして、第１側面１４の裏面にＰＴＰシート５４を挟みながら第２側面１６を重ね合わせて、熱圧着する。これにより台紙１２は図１に示すように、ＰＴＰシート５４を保持した状態となる。なお、ＰＴＰシート５４の、プラスチック成形体５６の突出部５６ａの裏面には透孔２０が一致する。次に、保持片４４を折罫線４６で逆折りして第２側面１６の表面に重ね、係止用板３０を、折罫線２８と折罫線３２を直角に正折りして第２側面１６の表面に保持片４４を覆って重ね、係止用板３０の係止片３４を、第２側面１６のスリット２４に差し込み係止する。これでＰＴＰシート５４の、台紙１２の取り付けが完了し、図２に示すように、包装体１０により包装される。厚み形成片２６は、第２側面１６と係止用板３０に対して直角に位置し、第２側面１６と係止用板３０の間隔をＰＴＰシート５４の突出部５６ａの高さに保っている。
【００２５】
包装体１０は、図２に示す平坦な折り畳み状態では、薄型となり携帯に適している。また、飲み忘れを防ぐために、コップ６０等に目立つように取り付ける時は、図４に示すように、係止用板３０の側縁部３０ｂを上にして、コップ６０の縁を係止溝４０に差し込み、折り曲げ線４２を僅かに逆折りして係止溝４０の両端部に達するまで入れる。係止溝４０の内側に位置する舌片４１がコップ６０の内周面に重ねられ、包装体１０はコップ６０の縁部に係止する。なお、コップ６０以外に、開口部を有する容器であれば何にでも取り付けることができる。また、包装体１０を吊り下げて設置する時は、フック等に係止溝４０を差し込んで、吊り下げる。また、机や棚等の目立つ場所に自立させて設置する時は、係止用板３０と第２側面１６を所定角度に開き、折罫線４６を９０°に正折りし、保持片４４を係止用板３０と第２側面１６の間に嵌合する。そして、係止用板３０の凹部３６に、保持片４４の凸部４８を差し込み、係止用板３０の表面を保持片４４の側縁部４４ｃに当接させ、第２側面１６と係止用板３０を所定角度に係止する。これにより図５に示すように立体形状に組み立てられ、安定して自立する。凹部３６の爪部３８と、凸部４８の爪部５０が対面し、組立を解除する方向に戻ることを防ぐ。
【００２６】
包装体１０から錠剤５２を取り出す時は、第２側面１６の透孔２２から突出するＰＴＰシート５４の突出部５６ａを押す。錠剤５２がＰＴＰシート５４の蓋材シート５８に押し付けられて蓋材シート５８は破断し、錠剤５２がＰＴＰシート５４から出て、第１側面１４の透孔２０を通過して取り出される。
【００２７】
この実施形態の包装体１０によれば、簡単な構造で、ＰＴＰシート５４を安全に収納保持することができ、目立つ場所に簡易的に設置して錠剤５２の飲み忘れを防ぐことができる。また、残りの錠剤５２の数を一目で確認することができ、重複しても飲むことも防ぐことができる。設置方法は、コップ６０の縁に掛けたり、フックに吊り下げたり、机に自立させたり、自由に変更することができ、目立つ方法を選択して設置することができる。携帯する際は、係止用板３０を第２側面１６に対して平行となるように閉じて係止片３４で係止し、形状を平坦にして、コンパクトに持ち運ぶことができる。平坦にした時は、ＰＴＰシート５４の突出部５６ａを係止用板３０が覆うため、不用意に錠剤５２が出ることがない。厚み形成片２６がＰＴＰシート５４の突出部５６ａを収容する隙間を形成するため、突出部５６ａがつぶれることがなく安全である。その他、台紙１２の表面に、錠剤５２についての情報を印刷することができ、使用者に情報を伝えることができる。
【００２８】
なお、この発明の包装体は、上記実施形態に限定されるものではなく、台紙の形状や透孔の位置、組立工程、糊の種類や塗布の位置など、適宜変更可能である。保持片が設けられていないものでもよく、第１側面と係止片が折罫線の折りくせにより１８０°以外の角度で交差させれば、自立することができる。図５では、第２側面の、スリットに近い側縁部が机等に当接して自立しているが、これ以外の部分が当接して自立してもよい。台紙の任意の位置に、係止溝とは別に、フック等に挿通する孔部等が設けられてもよい。収容する錠剤の数は、適宜変更可能である。ＰＴＰシートの突出部の数に合させて透孔の数を変更して対応することができる。ＰＴＰシートの素材は、いろいろなものに対応することができる。収容される錠剤は、薬剤に限らず他の商品でもよい。
【符号の説明】
【００２９】
１０  包装体
１２  台紙
１４  第１側面
１６  第２側面
２０，２２  透孔
２４  スリット
３０  係止用板
３４  係止片
３６  凹部
３８  爪部
４０  係止溝
４１  舌片
４２  折り曲げ線
４４  保持片
４８  凸部
５２  錠剤
５４  ＰＴＰシート
５６  プラスチック成形体
５６ａ  突出部
５６ｂ  フランジ部
５８  蓋材シート
【図１】
2017226470.tif 000003
【図２】
2017226470.tif 000004
【図３】
2017226470.tif 000005
【図４】
2017226470.tif 000006
【図５】
2017226470.tif 000007